(57)【特許請求の範囲】
【請求項１】
商品を載置する階段状の表陳列面を有し、表陳列面の階段の各段の角部に前後方向に延出する嵌合縦溝を左右方向に所定のピッチで多数設けてなる陳列本体部と、該複数の角部の該嵌合縦溝に嵌合する載置商品を左右に区画する仕切り板を備えることを特徴とする商品陳列棚。
【請求項２】
前記仕切り板は、該嵌合縦溝に嵌合すると共に該陳列本体部のほぼ全長に亘り延出して載置商品を左右に区画するものであることを特徴とする請求項１記載の商品陳列棚。
【請求項３】
前記仕切り板は、該嵌合縦溝の一部に嵌合する該陳列本体部の全長より短いものであることを特徴とする請求項１記載の商品陳列棚。
【請求項４】
２個又はそれ以上の仕切り板を直列に並べて、該陳列本体部のほぼ全長に亘り延出して載置商品を左右に区画するものであることを特徴とする請求項３記載の商品陳列棚。
【請求項５】
該陳列本体部は、陳列基台と、該陳列基台の表面に取り付けられる階段状薄板との２つの部材からなり、該階段状薄板は、商品を載置する階段状の表陳列面を有し、表陳列面の階段の各段の角部に前後方向に延出するスリット状の嵌合縦溝を左右方向に所定のピッチで多数設けてなることを特徴とする請求項１〜４のいずれか１項記載の商品陳列棚。
【発明の詳細な説明】
【技術分野】
【０００１】
本発明は、主として青果物売り場で使用されるボリューム感のある陳列ができると共に陳列安定性に優れる商品陳列棚に関するものである。
【背景技術】
【０００２】
従来、青果物売り場で使用される商品陳列台は、例えば図１４及び図１５に示されるように、平面状あるいは階段状の陳列面１０２、２０２を有する陳列台１０５、２０５と、商品仕切り板１０１、２０１とから構成されている。この商品仕切り板１０１、２０１は下端縁が陳列面１０２、２０２の輪郭形状に対応する形状を有する鉛直部材である商品仕切り板本体１０３、２０３と、該下端縁がＴ字形断面を構成する水平部材である基板１０４、２０４を有するものである。また、下端縁がＬ字形断面を構成する基板を用いた商品仕切り板もある。
【０００３】
一方、特開２００１−１９７９８４号公報には、図１６に示すような陳列ケース内に設置する商品陳列棚３００であって、商品陳列棚３００は、商品を載置する１以上の斜面３０１を一方向に隣接して設け、この一方向一端に商品落下防止部３０２を有し且つ他端に平面３０３を有して表陳列面３１０を構成し、表陳列面３１０の裏側に仕切り板の嵌合溝３０５を少なくとも１以上設けて裏陳列面３１１を構成してなり、陳列ケース内に高さ可変の設置台（不図示）を配設し、該設置台に商品陳列棚３００の表陳列面３１０及び裏陳列面３１１のいずれか一方を置き、いずれか他方に商品を陳列する陳列ケース用の商品陳列棚が開示されている。この商品陳列棚によれば、少なくとも３種類の陳列面を演出でき、商品の多様化、模様替えに十分対応できる。
【非特許文献１】「SALES PROMOTION CATALOG ‘02〜」KAWAJUN、第83頁、2002年発行
【特許文献１】特開２００１−１９７９８４号公報（請求項１）
【発明の開示】
【発明が解決しようとする課題】
【０００４】
しかしながら、従来の商品陳列台１００、２００における商品仕切り板１０１、２０１は自立型であるため、仕切り板の設置等の作業性はよいものの、商品仕切り板１０１、２０１が転倒することが多く、商品間の仕切りの乱れが問題となる。また、陳列面の形状が単純であるため、陳列の演出効果に乏しく、顧客の目を引く陳列ができないという問題がある。一方、特開２００１−１９７９８４号公報記載の商品陳列棚３００の表陳列面に載置された商品を左右に区画する場合、段差毎の個別の仕切り板を設置するしかなく、前記同様、仕切り板が転倒することが多く、商品間の仕切りの乱れが問題となる。また、商品陳列棚３００の全長に亘り延出する仕切り板の設置は困難であり、載置された商品をボリューム感を高めて左右に区画することができなかった。このため、多様な陳列面を演出することができ、陳列面への設置が容易で、度決めの効いた仕切りが可能な商品陳列棚の開発が望まれていた。
【０００５】
従って、本発明の目的は、多様な陳列面を演出することができるとともに、陳列面への設置が容易で、度決めの効いた仕切りが可能な商品陳列棚を提供することにある。
【課題を解決するための手段】
【０００６】
かかる実情において、本発明者らは鋭意検討を行った結果、商品を載置する階段状の表陳列面を有し、表陳列面に前後方向に延出する部分嵌合溝を左右方向に所定のピッチで多数設けてなる陳列本体部と、該部分嵌合溝に嵌合する載置商品を左右に区画する仕切り板を備える商品陳列棚であれば、多様な陳列面を演出することができるとともに、陳列面への設置が容易で、度決めの効いた仕切りが可能であることを見出し、本発明を完成するに至った。
【０００７】
すなわち、本発明（１）は、商品を載置する階段状の表陳列面を有し、表陳列面の階段の各段の角部に前後方向に延出する嵌合縦溝を左右方向に所定のピッチで多数設けてなる陳列本体部と、該複数の角部の該嵌合縦溝に嵌合する載置商品を左右に区画する仕切り板を備える商品陳列棚を提供するものである。
【０００８】
また、本発明（２）は、前記仕切り板が、該部分嵌合溝に嵌合すると共に該陳列本体部のほぼ全長に亘り延出して載置商品を左右に区画するものである前記商品陳列棚を提供するものである。
【０００９】
また、本発明（３）は、前記仕切り板は、該部分嵌合溝の一部に嵌合する該陳列本体部の全長より短いものである前記商品陳列棚を提供するものである。
【００１０】
また、本発明（４）は、２個又はそれ以上の仕切り板を直列に並べて、該陳列本体部のほぼ全長に亘り延出して載置商品を左右に区画するものである前記商品陳列棚を提供するものである。
【００１１】
また、本発明（５）は、該陳列本体部は、陳列基台と、該陳列基台の表面に取り付けられる階段状薄板との２つの部材からなり、該階段状薄板は、商品を載置する階段状の表陳列面を有し、表陳列面の階段の各段の角部に前後方向に延出するスリット状の嵌合縦溝を左右方向に所定のピッチで多数設けてなる前記商品陳列棚を提供するものである。
【発明の効果】
【００１４】
本発明によれば、多様な陳列面を演出することができるとともに、陳列面への仕切り板の設置が容易で、度決めの効いた仕切りが可能となる。また、階段状薄板の階段状の角部に部分嵌合溝を設けたため、仕切り板が部分嵌合溝の深くまで入り、仕切り板の設置安定性が一層向上する。また、部分嵌合溝は、後端部材の垂直部材である薄板と、前端部材の水平部材である薄板を共に貫通するスリットであるため、同様に、仕切り板の設置安定性が一層向上する。
【発明を実施するための最良の形態】
【００１５】
次に本発明の第１の実施の形態における商品陳列棚を図１〜図４を参照して説明する。図１は本例の商品陳列棚の斜視図、図２は図１の商品陳列棚の分解斜視図、図３は図１の商品陳列棚の階段状薄板の嵌合突起部の拡大図、図４は図１の商品陳列棚の陳列基台の嵌合凹部の拡大図をそれぞれ示す。本明細書において、「前」は顧客側を言い、「後」はその反対側を言う。また「水平」、「垂直」は設置形態におけるものである。
【００１６】
商品陳列棚１０は、商品を載置する階段状の表陳列面１３を有し、表陳列面１３に前後方向に延出する部分嵌合溝１５を左右方向に所定のピッチで多数設けてなる陳列本体部１１と、部分嵌合溝１５に嵌合すると共に陳列本体部１１のほぼ全長に亘り延出して載置商品を左右に区画する仕切り板１２を備える。
【００１７】
陳列本体部１１は、陳列基台１９と、陳列基台１９の表面に取り付けられる該陳列基台１９のほとんどを覆う階段状薄板１８とからなり、階段状薄板１８は、商品を載置する階段状の表陳列面１３を有し、表陳列面１３に前後方向に延出する部分嵌合溝１５を左右方向に所定のピッチで多数設けてなる。階段状薄板１８の表陳列面１３は、設置形態において、４つの階段１３ａ、１３ｂ、１３ｃ、１３ｄを有し、それぞれの階段は傾斜板１３７により連結されている。階段を連結する傾斜板１３７を設けることにより、陳列基台１９に対する階段状薄板１８の設置安定性が向上すると共に、設置する際、陳列基台１９の傾斜面（平面部）１９３に傾斜板１３７を合わせるだけでよいため、位置決めの指標とすることができる。
【００１８】
階段状薄板１８は、前端両側、後端両側および中間両側の６箇所に付設される嵌合孔３２を有する突起３１からなる嵌合突起部１３３を有する。また、階段の角部を少し隆起状とすることにより、陳列商品を支持し易いようになっている。また、部分嵌合溝１５は階段の各段の角部に形成されると共に薄板を貫通するスリットであり、仕切り板１２が嵌合溝に深く入り込んで嵌合を強いものとしている。このため、仕切り板の設置安定性が向上する。
【００１９】
陳列基台１９は、４つの小さな波形断面板状部１９ａ、１９ｂ、１９ｃ、１９ｄと、各々の波形断面板状部の前方に位置する傾斜面１９３と、最後尾の波形断面板状部の後方端に立設される商品の後方転落防止機能を持つ後端部材１７と、水平面１６１の先端に立設板１６を有する商品の前方転落防止機能を持つ前端部材１６を備える。また、陳列基台１９において、階段状薄板１８の嵌合突起部１３３に対向する位置には嵌合凹部１９２を備える。嵌合凹部１９２は陳列基台１９の側面に矩形断面の切り込み４１を入れることで形成されるものである。また、陳列基台１９の平面状をなす裏面１４には、左右方向に延出し前後方向に所定のピッチで多数形成される嵌合溝１４１を有する。これにより、該商品陳列棚１０は表裏反転して使用することができる。この場合、仕切り板は別途のサイズが異なるものを使用することとなり、載置商品は前後方向で区画される。陳列基台１３は４つの小さな波形断面形状部と傾斜面１９３を前後方向に交互に配置する形態であるため、強度を高めることができるとともに階段状薄板１８の傾斜板１３７を傾斜面１９３で支えることができる。
【００２０】
仕切り板１２は部分嵌合溝１５に嵌合すると共に陳列本体部１１のほぼ全長に亘り延出して載置商品を左右に区画する板状物である。仕切り板１２の設置個数は特に制限されず、目的応じて適宜の枚数を使用すればよい。
【００２１】
本例の商品陳列棚１０は、陳列基台１９に階段状薄板１８を取り付け、更に仕切り板１２を組み付けることで形成される。すなわち、陳列基台１９の表面を階段状薄板１８で覆うようにし、この際、陳列基台１９の傾斜面１９３と階段状薄板１８の斜面１３７を当接させ、且つ陳列基台１９の嵌合凹部１９２に階段状薄板１８の嵌合突起１３３を嵌め込む。なお、嵌合凹部１９２の切り込み４１内には雌螺子孔が形成されていてもよい。この場合、陳列基台１９の嵌合凹部１９２と階段状薄板１８の嵌合突起１３３は螺子止めされる。次いで、所定の嵌合溝に仕切り板１２が嵌め込まれる。
【００２２】
この商品陳列棚１０は不図示の設置台に設置され、図１に示すような前方側に下り傾斜の陳列面を形成する。また、前後を１８０度反転して設置すれば、水平面１３１が前方下り傾斜の陳列面を形成するため、多様な陳列の演出が可能となる。従来、階段状の商品陳列面に嵌合溝を左右方向に所定のピッチで多数形成することは、製造上困難であるか、製造できたとしても製造コストを押し上げるものであったが、この商品陳列棚１０によれば、階段状薄板１８にスリット状の嵌合溝を簡易な方法で多数形成できるため、安価に製造できると共に、仕切り板の設置安定性が向上し、度決めの効いた仕切りが可能となる。
【００２３】
次に第２の実施の形態における商品陳列棚を図５及び図６を参照して説明する。なお、第２の実施の形態における商品陳列棚は、本発明の参考例となるものである。図５は本例の商品陳列棚の斜視図、図６は図５の商品陳列棚を前後に１８０度反転して設置した状態の商品陳列棚の斜視図を示す。図５及び図６において、図１と同一構成要素には同一符号を付してその説明を省略し、異なる点について主に説明する。すなわち、図５及び図６において、図１と主に異なる点は商品陳列棚１０ａが一体成形物である点、嵌合溝を後端部材の垂直部材１７と、前端部材の水平部材１６に形成したものである点、更に仕切り板１２ａの下端縁が階段状に切り欠かれた点にある。後端部材の垂直部材１７および前端部材の水平部材１６は共に薄板であるため、嵌合溝の形成も容易で、貫通したスリット状に形成できる。また、仕切り板１２ａの前端部分が前方嵌合溝１５ｂに嵌合し、後端部分が後方嵌合溝１５ａに嵌合する。このため、仕切り板１２ａの設置安定性が向上し、度決めの効いた仕切りが可能となる。
【００２４】
商品陳列棚１０ａは、商品陳列棚１０同様、不図示の設置台に設置され、図５に示すような前方側に下り傾斜の設置面となる。また、前後を１８０度反転して設置すれば、水平面１３１が前方下り傾斜の陳列面を形成するため、多様な陳列の演出が可能となる（図６）。従来、階段状の商品陳列面に嵌合溝を左右方向に所定のピッチで多数形成するには、製造上困難であるか、製造できたとしても製造コストを押し上げるものであったが、この商品陳列棚１０ａによれば、前後の薄板部にスリット状の嵌合溝を簡易な方法で多数形成できるため、安価に製造できると共に、仕切り板の設置安定性が向上し、度決めの効いた仕切りが可能となる。
【００２５】
次に第３の実施の形態における商品陳列棚を図７〜図９を参照して説明する。図７は本例の商品陳列棚の斜視図、図８は図７の商品陳列棚を前後に１８０度反転して設置した状態の商品陳列棚の斜視図、図９は図７の商品陳列棚を裏面から見た斜視図を示す。図７〜図９において、図１と同一構成要素には同一符号を付してその説明を省略し、異なる点について主に説明する。すなわち、図７〜図９において、図１と主に異なる点は商品陳列棚１０ｂが中空成形物である点、嵌合溝を更に後端部材の垂直部材１７と、前端部材の水平部材１６にも形成したものである点、階段の角の突起を省略した点、仕切り板１２ｃが略矩形状である点、裏面は蓋材でカバーされている点にある。
【００２６】
商品陳列棚１０ｂの裏側の両側板には前後方向、所定のピッチで突起部４２が形成され、蓋材４１の係合片４３と嵌合するようになっている。また、蓋材４１は０．４ｍｍ厚みの不図示のピクチャーシートを４枚重ねで装着できる深さを有し、更にピクチャーシートの取り出しを手で裏側から押すことで可能にする開口４４を備えている。商品陳列棚１０ｂは、商品陳列棚１０と同様の効果を奏する他、表面部材が薄板の中空成形物であるため、嵌合溝の形成も容易で、貫通したスリット状に形成できる。また、ピクチャーシートは商材の種類、季節により簡単に着せ替えができることから、陳列の演出効果を高めることができる。
【００２７】
また、商品陳列棚１０ｂの変形例として、陳列本体部のほぼ全長に亘る仕切り板１２ｃに代えて、それより短い仕切り板を用いることもできる。すなわち、図１０に示す商品陳列棚１０ｃは、部分嵌合溝の一部に嵌合する該陳列本体部の全長の１/２よりやや長い仕切り板１２ｄと、全長の１/２よりやや短い仕切り板１２ｅを、前後方向に直列に並べて、該陳列本体部のほぼ全長に亘り載置商品を左右に区画するようにしたものである。また、長さが短い仕切り板は直列設置及び並列設置を組み合わせた設置方法を採ることができる。
【００２８】
次に第４の実施の形態における商品陳列棚を図１１〜図１２を参照して説明する。図１１は本例の商品陳列棚の斜視図、図１２は図１１の商品陳列棚を前後に１８０度反転して設置した状態の商品陳列棚の斜視図を示す。図１１〜図１２において、図７及び図８と同一構成要素には同一符号を付してその説明を省略し、異なる点について主に説明する。すなわち、図１１〜図１２において、図７及び図８と主に異なる点は商品陳列棚１０ｄが４段の載置面である点、後端部材の垂直部材１７ａの後方部、前端部材の水平部材１６ａに前方部１６１、及び各階段を接続する傾斜面１３７をやや丸みを帯びた形状とした点にある。商品陳列棚１０ｃにおいても、商品陳列棚１０ｂと同様の効果を奏する。
【００２９】
また、商品陳列棚１０ｄの変形例として、陳列本体部のほぼ全長に亘る仕切り板１２ｆに代えて、輪郭が大きなアーチ状であって、該アーチ部分にキャッチコピーを表示した仕切り板を用いることもできる。すなわち、図１３に示す商品陳列棚１０ｅは、輪郭が大きなアーチ状であって、該アーチ部分に「ａｐｐｌｅ」文字を表示した仕切り板１２ｇを用いたものである。これにより、更に陳列の演出効果を高めることができる。
【図面の簡単な説明】
【００３０】
【図１】本発明の第１の実施の形態である商品陳列棚の斜視図である。
【図２】図１の商品陳列棚の分解斜視図である。
【図３】図１の商品陳列棚の階段状薄板の嵌合突起部の拡大図である。
【図４】図１の商品陳列棚の陳列基台の嵌合凹部の拡大図である。
【図５】本発明の第２の実施の形態である商品陳列棚の斜視図である。
【図６】図５の商品陳列棚を前後に１８０度反転して設置した状態の商品陳列棚の斜視図である。
【図７】本例の商品陳列棚の斜視図である。
【図８】図７の商品陳列棚を前後に１８０度反転して設置した状態の商品陳列棚の斜視図である。
【図９】図７の商品陳列棚を裏面から見た斜視図を示す。
【図１０】図７の商品陳列棚の変形例における斜視図である。
【図１１】本例の商品陳列棚の斜視図である。
【図１２】図１１の商品陳列棚を前後に１８０度反転して設置した状態の商品陳列棚の斜視図を示す。
【図１３】図１２の商品陳列棚の変形例における斜視図である。
【図１４】（Ａ）は従来の商品陳列台の分解斜視図であり、（Ｂ）は（Ａ）の組み付け後の商品陳列台の斜視図である。
【図１５】（Ａ）は従来の他の商品陳列台の分解斜視図であり、（Ｂ）は（Ａ）の組み付け後の商品陳列台の斜視図である。
【図１６】従来の商品陳列棚の斜視図である。
【符号の説明】
【００３１】
１０、１０ａ〜１０ｅ、１００、２００、３００    商品陳列棚
１１                    陳列基台
１２〜１２ｇ            仕切り板
１３、３１０            表陳列面
１３ａ〜１３ｄ          階段
１４                    裏陳列面
１５、１５ａ、１５ｂ    嵌合溝
１６                    前方部材の平面部
１７                    後方部材
１８                    階段状薄板
１９                    陳列基台
１９ａ〜１９ｄ          波形断面板状部
【図１】
0004656869.tif 000002
【図２】
0004656869.tif 000003
【図３】
0004656869.tif 000004
【図４】
0004656869.tif 000005
【図５】
0004656869.tif 000006
【図６】
0004656869.tif 000007
【図７】
0004656869.tif 000008
【図８】
0004656869.tif 000009
【図９】
0004656869.tif 000010
【図１０】
0004656869.tif 000011
【図１１】
0004656869.tif 000012
【図１２】
0004656869.tif 000013
【図１３】
0004656869.tif 000014
【図１４】
0004656869.tif 000015
【図１５】
0004656869.tif 000016
【図１６】
0004656869.tif 000017